(57)【要約】【課題】  期間でコロナ騒音を低減することが可能な架空電線を提供する。【解決手段】  少なくとも１本の素線３ａからなる層を中心層５とし、複数の素線３ｂからなる層をセグメント層７とし、複数の素線３ｃからなる層を外部層９とする。すなわち、架空電線１の中心に、中心層５が配置され、中心層５の外周側にセグメント層７が配置され、セグメント層７の外周に外部層９に配置される。セグメント層７の外周部には、長手方向に沿って溝１１が形成される。すなわち、セグメント層７が、２層の素線３ｂからなる場合には、外層側の素線３ｂの一部に溝１１が形成され、外部層９の内側に形成される。溝１１は、素線３ｃの外周側の一部が切除された形態である。前述した様に、素線３ｂは撚り合わせられて形成されるため、溝１１も架空電線１の長手方向に対して螺旋状に形成される。【選択図】図１
2017111979.tif 000002
【特許請求の範囲】
【請求項１】
中心層と、
前記中心層の外周に配置されるセグメント層と、
前記セグメント層の外周に配置される外部層と、
を具備し、
前記中心層は、少なくとも１本の素線からなり、
前記セグメント層は、断面がセグメント形状の複数本の素線からなり、
前記外部層は、断面が略円形の複数の素線からなり、
前記セグメント層の外周部において、長手方向に沿って溝が形成されることを特徴とする架空電線。
【請求項２】
前記溝は、隣り合う前記セグメント形状の素線同士にまたがるように設けられることを特徴とする請求項１記載の架空電線。
【請求項３】
前記中心層と前記セグメント層の占積率は、前記溝を除き、８８〜９２％であることを特徴とする請求項１または請求項２記載の架空電線。
【請求項４】
前記溝は、断面において２カ所に形成されることを特徴とする請求項１から請求項３のいずれかに記載の架空電線。
【請求項５】
前記外部層の外周部を構成する複数の前記略円形の素線は、他の前記略円形の素線よりも相対的に径の大きな隣り合う２本の略円形の素線を具備することを特徴とする請求項１から請求項４のいずれかに記載の架空電線。
【発明の詳細な説明】
【技術分野】
【０００１】
本発明は、低コロナ騒音特性に優れた架空電線に関するものである。
【背景技術】
【０００２】
架空電線は野外に設置されるため、雨が降ると、架空電線の下面側の部分に雨水が集まって大きな水滴ができやすい。このような水滴ができると、そこからコロナ放電が発生する。特に架線直後など、電線表面の撥水性が高い状態では、降雨などにより水滴が付着しやすく、コロナ騒音の要因となっている。したがって、低コロナ騒音特性に優れた架空電線が望まれている。
【０００３】
このような架空電線としては、最外層の一部の素線の断面形状を他の素線と異なるようにした架空電線がある（特許文献１）。
【０００４】
また、丸形単線の素線上に略台形の素線を組み合わせ、各素線間に吸水パウダーを充填した電線がある（特許文献２）。
【０００５】
また、隣り合うセグメント素線同士を凹凸で嵌合させ、セグメント層の内部に防食グリスを充填した電線がある（特許文献３）。
【先行技術文献】
【特許文献】
【０００６】
【特許文献１】特開平０１−２６５４０９号公報
【特許文献２】特開平０８−３１２３５号公報
【特許文献３】特開２００７−２５０５３８号公報
【発明の概要】
【発明が解決しようとする課題】
【０００７】
特許文献１では、外周面に形成された凸部間の溝が電線に螺旋状に形成されるため、溝に沿って水滴が流れる。この結果、溝内で水滴が成長するため、水滴が落下しやすくなり、水滴によるコロナ放電の発生を抑制することができる。
【０００８】
しかし、通常、架空電線は複数の撚り線から形成されるが、架空電線の内部に空隙があると、降雨などによる水分が内層に入り込み、水分が蓄えられる状態となる。このようにして蓄えられた水分は、雨が終了した後も、徐々に電線表面に染み出し、コロナ放電発生の要因となる。したがって、特許文献１のように、電線の外周に付着した水滴を対策するのみでは、雨が終わってからも長時間にわたって電線表面に染み出した水分による水滴が発生し、コロナ放電の要因となる。
【０００９】
また、特許文献２では、略台形の素線（セグメント素線）によって、素線間の空隙が小さくなるが、電線内へ完全に水分が入り込むことを防止することはできない。したがって、電線内部に蓄えられた水分は、外部に流出しにくい分、より長時間にわたって、雨が終了した後も、徐々に毛細管現象等によって電線表面に染み出し、コロナ放電発生の要因となる。特に、電線の外周まで完全にセグメント素線のみで形成し、略円形断面の電線とすると、風切音が増加するなどの問題があり、最外周には円形の素線を用いることが望ましい。このため、セグメント素線と丸線との間に形成する隙間に水分が容易に浸入する。
【００１０】
また、特許文献３は、内部に防食グリスを充填することで、水分の浸入を抑制することができる。しかし、防食グリスの染み出しや、劣化が問題となっている。
【００１１】
本発明は、このような問題に鑑みてなされたもので、短期間でコロナ騒音を低減することが可能な架空電線を提供することを目的とする。
【課題を解決するための手段】
【００１２】
前述した目的を達するために本発明は、中心層と、前記中心層の外周に配置されるセグメント層と、前記セグメント層の外周に配置される外部層と、を具備し、前記中心層は、少なくとも１本の素線からなり、前記セグメント層は、断面がセグメント形状の複数本の素線からなり、前記外部層は、断面が略円形の複数の素線からなり、前記セグメント層の外周部において、長手方向に沿って溝が形成されることを特徴とする架空電線である。
【００１３】
前記溝は、隣り合う前記セグメント形状の素線同士にまたがるように設けられてもよい。
【００１４】
前記中心層と前記セグメント層の占積率は、前記溝を除き、８８〜９２％であることが望ましい。
【００１５】
前記溝は、断面において２カ所に形成されてもよい。
【００１６】
前記外部層の外周部を構成する複数の前記略円形の素線は、他の前記略円形の素線よりも相対的に径の大きな隣り合う２本の略円形の素線を具備してもよい。
【００１７】
前記セグメント層の外周側の素線の側面には、前記溝形成された素線同士の接触面を除き、凹凸形状が形成され、隣り合う素線同士が前記凹凸形状で嵌合してもよい。
【００１８】
本発明によれば、セグメント層の最外周部に溝が形成される。すなわち、架空電線の内部であって、セグメント層と外部層との間に溝が形成される。このため、架空電線の内部に浸入した水を溝内に集めて水滴を成長させることができる。この結果、架空電線内部の水分を短時間で排出することができ、雨が終了した後に、コロナ放電を短時間で抑制することができる。このように、本発明は、電線内部への水の浸入を抑制するのではなく、内部の水分を短時間で排出することで、コロナ騒音を降雨終了後短時間で抑制するものである。
【００１９】
また、溝が隣り合うセグメント素線にまたがるように配置されれば、セグメント層の内部から滲み出した水も、溝内に効率よく集めることができる。
【００２０】
このような効果は、中心層とセグメント層の占積率が溝を除き、８８〜９２％である場合に、特に顕著である。
【００２１】
また、溝を２本形成することで、さらに短時間で、コロナ放電の発生を低減させることができる。
【００２２】
また、外部層の外周部を構成する複数の略円形の素線内、一部の隣り合う２本の素線が、他の略円形の素線よりも相対的に径が大きければ、風切音を低減することができる。
【００２３】
また、セグメント形状の素線同士が、凹凸形状で嵌合することで、円形の形状が変形しにくくなる。また、溝が形成される素線以外の素線同士を凹凸形状で嵌合させることで、凹凸形状のない素線間を優先的に水が流れやすくなり、内部の水を効率よく溝に導くことができる。
【発明の効果】
【００２４】
本発明によれば、短期間でコロナ騒音を低減することが可能な架空電線を提供することができる。
【図面の簡単な説明】
【００２５】
【図１】架空電線１を示す図。
【図２】（ａ）は、架空電線１の溝１１近傍の拡大図、（ｂ）は、他の溝１１の形態を示す図。
【図３】（ａ）、（ｂ）は、さらに他の溝１１の形態を示す図。
【図４】従来の架空電線１００を示す図であり、（ａ）は断面図、（ｂ）は側面図。
【図５】架空電線１を示す図であり、（ａ）は断面図、（ｂ）は側面図。
【図６】架空電線１ａを示す図。
【図７】溝の本数による、降雨停止後の時間とコロナ騒音レベルとの関係を示す図。
【図８】占積率とコロナ騒音低減効果の関係を示す図。
【図９】（ａ）は架空電線１ｂを示す図、（ｂ）は架空電線１ｃを示す図。
【図１０】（ａ）は架空電線１ｄを示す図、（ｂ）は架空電線１ｅを示す図。
【発明を実施するための形態】
【００２６】
以下、図面を参照しながら、本発明の実施形態について説明する。図１は、架空電線１を示す断面図である。架空電線１は、中心から順に素線３ａ、３ｂ、３ｃからなる。
【００２７】
素線３ａは、略円断面形状のアルミ被覆鋼線である。図示した例では、素線３ａは、中心に１本とその周囲に６本が、断面において略最密配置となるように配置され、撚り合わせられる。なお、アルミ覆鋼線は、架空電線１の一部に用いられればよく、または、他の例えば、炭素繊維のテンションメンバや導体との複合体を用いてもよい。
【００２８】
素線３ａの外周には、素線３ｂが配置される。素線３ｂは、断面が略台形（以下、セグメント形状とする）のアルミニウム素線である。素線３ｂは、隣り合う素線３ｂ同士が互いに密着するように配置され、全体として外形が略円形となる。なお、図示した例では、素線３ｂが２層に撚り合わせられる。
【００２９】
素線３ｂの外周には、素線３ｃが配置される。素線３ｃは、略円断面形状のアルミニウム素線であり、素線３ｂの外周に撚り合わせられる。
【００３０】
なお、素線３ａ、３ｂ、３ｃの本数、大きさ、層数などは、図示した例には限られない。また、最内層の円形の素線３ａについては、少なくとも一部を、空洞、あるいはパイプとし、内部に光ファイバ等を通すこともできる。また、各素線はアルミニウムからなるものを例示したが、これは好例に過ぎず、銅等からなる導電体または表面がその他の導電体である素線などでもよい。
【００３１】
ここで、少なくとも１本の素線３ａからなる層を中心層５とし、複数の素線３ｂからなる層をセグメント層７とし、複数の素線３ｃからなる層を外部層９とする。すなわち、架空電線１の中心に、中心層５が配置され、中心層５の外周側にセグメント層７が配置され、セグメント層７の外周に外部層９に配置される。
【００３２】
セグメント層７の外周部には、長手方向に沿って溝１１が形成される。すなわち、セグメント層７が、２層の素線３ｂからなる場合には、外層側の素線３ｂの一部に溝１１が形成され、溝１１は外部層９の内側に形成される。溝１１は、素線３ｃの外周側の一部が切除された形態である。前述した様に、素線３ｂは撚り合わせられて形成されるため、溝１１も架空電線１の長手方向に対して螺旋状に形成される。
【００３３】
図２（ａ）は、溝１１の拡大図である。溝１１は、隣り合う前記セグメント形状の素線同士にまたがるように設けられることが望ましい。このように溝１１を形成することで、素線３ｂの内側の水分が、溝１１に排出されやすい。
【００３４】
なお、溝１１は、溝１１の縁部と中心底部とを結ぶ仮想線（図中点線Ａ）に対して、凹む形状であることが望ましい。図２（ｂ）に示すように、溝１１の縁部と中心底部とを結ぶ仮想線Ａよりも膨らむような形状の溝であると、毛細管現象によって、溝１１内を水滴が流れにくく、また、溝１１から外部へ水滴が排出されにくくなるためである。
【００３５】
なお、溝１１の形状や大きさは、図２（ａ）に示した例には限られない。例えば、図３（ａ）に示すように、複数の素線３ｂにまたがらずに、１本の素線３ｂの外面に形成してもよい。また、図３（ｂ）に示すように、１本の素線３ｂの厚みを薄くすることで、隣り合う素線３ｂ間に溝１１を形成してもよい。
【００３６】
架空電線１は、例えば以下のように製造される。まず、素線３ａ、３ｂ、３ｃを所定の形状で押出成形する。これらの素線３ａ、３ｂ、３ｃを、中心層５、セグメント層７、外部層９の順に、それぞれの素線同士を撚り合わせることで、架空電線１が形成される。なお、素線３ｂの一部にあらかじめ所望の凹みを形成しておくことで、容易に溝１１を形成することができる。なお、各素線が積層されて形成される各層は、中心側から順に、互いに逆方向に撚り合わせられるため、架空電線１の捻じれ方向の力は互いに打ち消される。
【００３７】
次に、溝１１の機能について説明する。図４（ａ）は、溝１１を有さない従来の架空電線１００の断面図であり、図４（ｂ）は架空電線１００の側面である。架空電線１００は、溝１１を有さない以外、前述した架空電線１と同様の構成である。
【００３８】
降雨があると、架空電線１００の内部には、水が浸入する。例えば、素線３ａ同士、素線３ｂ同士、素線３ｃ同士の隙間や、素線３ａと素線３ｂの隙間、素線３ｂと素線３ａの隙間などに水分が浸入する。
【００３９】
降雨終了後、架空電線１００の内部の水分は、徐々に外部に滲み出し、架空電線１００の下方に落ちる（図中矢印Ｂ）。この際、水分の落ちるルートが特定されないため、図４（ｂ）に示すように、架空電線１００の下端には、多くの水滴１３が形成される。また、内部の水が完全に滲みだすまでには相当の時間を要する。このため、水滴１３が多く分散され、長時間にわたって水滴１３が付着した状態が維持される。この結果、降雨終了後においても、長時間にわたってコロナ騒音が生じる。
【００４０】
これに対し、図５（ａ）に示すように、本実施形態の架空電線１は、内部に螺旋状に溝１１が形成される（図では、上部から下方までの溝１１を右半分のみ点線で示す）。このため、素線３ａ同士、素線３ｂ同士、素線３ｃ同士の隙間や、素線３ａと素線３ｂの隙間、素線３ｂと素線３ａの隙間の水分が、溝１１との交差部から溝１１内に流入する。さらに、溝１１内を流れる水は、徐々に成長しながら下方に流れ落ち、架空電線１の下方において、素線３ｃの隙間から外部に流出する（図中矢印Ｃ）。
【００４１】
架空電線１では、溝１１から架空電線１の外部に水が流出する位置は、螺旋状の溝１１が架空電線１の下方に来る位置に集中する。このため、水滴１３は、溝１１の螺旋ピッチに沿って、大きく成長しやすい。この結果、水滴１３が落下しやすくなり、架空電線１に長期にわたって水滴１３が保持されにくい。また、水滴１３は、複数に分散されにくくなるため、短時間で水滴１３によるコロナ騒音を低減することができる。
【００４２】
なお、本実施形態の架空電線１は、あくまでも、内部の水分を外部に排出するために溝１１を設けたものである。
【００４３】
溝１１は、架空電線１のセグメント層７の最外周に形成することが望ましい。セグメント層７よりも内部またはセグメント層７の内部に溝１１を形成したのでは、溝１１から排出される水が、架空電線１の外部に速やかに排出されず、素線３ｂ、３ｃ間を伝って、水滴が架空電線１の各部に分散してしまうためである。
【００４４】
なお、外部層９を構成する素線３ｃは、略円断面である。この様にすることで、溝１１から排出される水が、素線３ｃの隙間から外部に流れ出し易くなる。このため、所定の位置の溝１１から流出した水が、より１カ所にまとまりやすくなり、水滴１３を成長させることができる。
【００４５】
これに対し、外部層９をセグメント形状の素線で構成すると、電線内部へ水が浸入しにくくなるが、内部に浸入した水が抜けにくくなるため、却って、降雨終了後からコロナ騒音消失までの時間が長くなる恐れがある。また、外部層９をセグメント形状の素線で構成すると、風切音の問題が大きくなるとともに、架空電線１の外形の凹凸が小さくなるため、水滴１３が長手方向に広がりやすくなり、望ましくない。
【００４６】
また、素線３ｂをすべて円断面形状で構成すると、架空電線１の隙間が大きくなりすぎるため、内部に浸入する水分量が多くなる。また、円断面形状の素線同士の外面に溝１１を形成しても、素線同士の間の凹凸にも水が伝うため、溝１１の効果が小さくなり、望ましくない。
【００４７】
このように、本実施形態の架空電線１は、セグメント形状の素線３ｂからなるセグメント層７の外周に溝１１を形成し、セグメント層７の外周に、円断面形状の素線３ｃからなる外部層９を設けることで、効率よく、コロナ騒音を短時間で低減するとともに、風切音を低減することができる。
【００４８】
なお、溝１１は、１カ所でなくてもよい。例えば、図６に示す架空電線１ａのように、溝１１を断面において２カ所に形成してもよい。架空電線１ａは、架空電線１と、溝１１の数のみが異なる。架空電線１ａの溝１１は、セグメント層７の外周部において、互いに対向する位置（すなわち等間隔）に２カ所形成される。
【００４９】
なお、それぞれの溝１１は、素線３ｂの撚り合わせに沿って、互いに対向する位置を保持して、架空電線１ａの長手方向に螺旋状に形成される。したがって、２本の溝１１のいずれかが架空電線１ａの下側に来るピッチは、架空電線１において溝１１が下側に来るピッチの半分になる。このため、一方の溝１１が架空電線１ａの上側に来る範囲においても、他方の溝１１が架空電線１ａの下側に来るため、それぞれの位置で効率よく水滴１３を成長させることができる。
【００５０】
図７は、溝１１によるコロナ騒音に対する効果を評価した図である。騒音測定は、まず、架線した電線に、電線表面電位傾度１４ｋＶ／ｃｍとなる電圧を印加する。電線に一様に注水（３０ｍｍ２／ｈ）した状態で、騒音レベルを測定した後、注水を停止し騒音レベルを連続測定している。騒音レベルは精密騒音計（リオン社製ＮＡ−４２）を使用した。図中Ｄは、従来の架空電線１００の結果であり、図中Ｅは、溝１１が１カ所の架空電線１の結果であり、図中Ｆは、溝１１が２カ所の架空電線１ａの結果であり、図中Ｇは、溝１１を３カ所（互いに１２０°間隔で配置）したものの結果である。
【００５１】
前述した様に、従来の架空電線１００に対して、架空電線１は、降雨停止後におけるコロナ騒音レベルの低下が早く、より短時間でコロナ騒音レベルを低下させることができる。さらに、溝１１を２カ所にした架空電線１ａは、架空電線１と比較して、降雨停止後におけるコロナ騒音レベルの低下がさらに早く、より短時間でコロナ騒音レベルを低下させることができる。
【００５２】
一方、溝１１を３カ所に増やした架空電線（図中Ｇ）は、溝１１が２カ所の架空電線１ａに対して、その効果が小さい。すなわち、溝１１を複数個所に配置することで、降雨停止後におけるコロナ騒音レベルの低下を早くすることができるが、３カ所以上に増やしても、その効果は小さくなる。したがって、溝１１は、２カ所に配置することが好ましい。
【００５３】
図８は、いくつかの占積率に対して、溝１１を１カ所形成した際のコロナ騒音減少時間比を評価した結果を示す図である。ここで、占積率は、図１の断面において、セグメント層７を包含する外接円（中心層５とセグメント層７）に対して、素線３ａ、３ｂの占める割合であり、溝１１の部分は除き、溝１１については、素線３ｂであるとして算出した。なお、溝１１は、占積率で５％に相当するサイズとした。
【００５４】
また、コロナ騒音減少時間比は、（溝１１を形成した場合（架空電線１）における雨の降り終わりから暗騒音（試験場における暗騒音レベルは約２０ｄＢ）まで騒音レベルが下がる時間）／（溝１１を形成しない場合（架空電線１００）における雨の降り終わりから暗騒音まで騒音レベルが下がる時間）で算出した。
【００５５】
図から明らかなように、いずれの占積率においても溝１１を形成した効果が見られた。その中でも特に占積率８８％から９２％ではその効果が大きく、コロナ騒音減少時間比が０．９５以下（図中Ｈ）となった。占積率が８８％未満では、隙間が大きくなるため、架空電線内に浸入する水が多くなる。また、占積率が９２％を超えると、そもそも素線間の隙間が小さくなりすぎて、水分自体がほとんど内部に浸入しなくなるためである
【００５６】
なお、詳細は省略するが、溝１１のサイズについて、占積率９０％の電線を用いて測定を行ったところ、溝１１が占積率換算で１〜５％のサイズのときにコロナ騒音低減効果が高かった。
【００５７】
以上説明したように、第１の実施形態にかかる架空電線１、１ａによれば、架空電線の内部に溝１１が形成されるため、各素線間の水を溝１１に集め、溝１１内で水滴を成長させることができる。このため、架空電線１、１ａ内の水を、所定の位置に大きな水滴１３として排出することができる。この結果、水滴１３を容易に落下させ、長時間、水滴１３が付着した状態が維持されることを抑制することができる。このため、降雨停止後に、短時間でコロナ騒音を低減することができる。
【００５８】
特に、溝１１を２カ所に形成することで、水を集める効果を高めるとともに、水滴１３の形成ピッチを狭くし、より高いコロナ騒音低減効果を得ることができる。
【００５９】
また、溝１１が、隣り合う素線３ｂ間にまたがるように配置することで、溝１１内に素線３ｂ同士の隙間を露出させることができる。このため、素線３ｂ内部の水を、効率良く溝１１内に導入することができる。
【００６０】
また、溝１１を除いた中心層５とセグメント層７の占積率を、８８〜９２％とすることで、より高い効果を得ることができる。
【００６１】
次に、第２の実施の形態について説明する。図９（ａ）は、第２の実施の形態にかかる架空電線１ｂを示す図である。なお、以下の説明において、架空電線１、１ａと同様の機能を奏する構成については、図１等と同様の符号を付し、重複した説明を省略する。また、以下の説明では、溝１１を１か所形成する例について説明するが、２カ所またはそれ以上形成してもよい。
【００６２】
架空電線１ｂは、架空電線１と略同様の構成であるが、外部層９を構成する素線３ｃの一部が素線３ｄに置換される。なお、外部層９が、素線３ｃによって複数層に形成される場合には、素線３ｄは、外部層９の外周部を構成する素線３ｃの一部と置換される。すなわち、素線３ｄは、架空電線１ｂの最外周層に配置される。
【００６３】
素線３ｄは、素線３ｃと同様に、略円形の素線である。また、素線３ｄは、素線３ｃよりも相対的に外径が大きい。素線３ｄは、互いに隣り合うように２本配置される。すなわち、架空電線１ｂは、外部層９の外周部を構成する複数の略円形の素線の内、他の略円形の素線３ｃよりも相対的に径の大きな隣り合う２本の略円形の素線３ｄを具備する。
【００６４】
第２の実施形態にかかる架空電線１ｂによれば、架空電線１と同様の効果を得ることができる。また、外周部に素線３ｄによる凹凸が形成されるため、風切音を抑制することができる。
【００６５】
次に、第３の実施の形態について説明する。図９（ｂ）は、第３の実施の形態にかかる架空電線１ｃを示す図である。架空電線１ｃは、架空電線１と略同様の構成であるが、セグメント層７の外周側の素線３ｂの側面に凸部１５および凹部１７が形成される点で異なる。
【００６６】
セグメント層７の外周側の素線３ｂは、隣り合う素線３ｂの凸部１５と凹部１７とが互いに嵌合する。このように凸部１５と凹部１７とが嵌合することで、セグメント層７の円断面形状が変形することを抑制することができる。
【００６７】
ここで、溝１１は、隣り合う素線３ｂにまたがるように形成される。溝１１が形成される素線３ｂ同士の接触面には、凸部１５および凹部１７が形成されず、フラットである。すなわち、凸部１５および凹部１７は、セグメント層７を構成する外周側の素線３ｂであって、溝１１が形成された素線３ｂ同士の接触面を除いた素線３ｂ同士の間にのみ形成される。
【００６８】
第３の実施形態にかかる架空電線１ｃによれば、架空電線１と同様の効果を得ることができる。また、セグメント層７の外周側の素線３ｂの側面には、溝１１が形成された素線３ｂ同士の接触面を除き、凹凸形状が形成され、隣り合う素線同士が前記凹凸形状で嵌合する。このように、セグメント層７の外周側の素線３ｂの凸部１５と凹部１７とが嵌合することで、セグメント層７の円断面形状が変形することを抑制することができる。また、溝１１につながる素線３ｂ同士の接触部には、凹凸が存在しない。架空電線１ｃの内部の水分は、凹凸嵌合部よりも、凹凸の無い部分から流出しやすいため、内部の水分を効率よく溝１１に導入することができる。
【００６９】
以上、添付図を参照しながら、本発明の実施の形態を説明したが、本発明の技術的範囲は、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【００７０】
たとえば、図１０（ａ）に示す架空電線１ｄのように、素線３ａは、略円断面形状のアルミ被覆鋼線でなくてもよく、２層目の形状をセグメント形状としてもよい。
【００７１】
また、図１０（ｂ）に示す架空電線１ｅのように、素線３ａは、アルミ被覆鋼線でなくてもよく、全ての素線をアルミニウムやアルミニウム合金としてもよい。この場合、同等の鋼心アルミニウム撚り線（ＡＣＳＲ）と比較すると強度が弱くなるが、アルミニウムやアルミニウム合金として、引張強度２３０ＭＰａ以上で、導電率５８．８％以上のアルミ合金を使用することによってＡＣＳＲと同等の強度を得ることができる。また、すべての素線がアルミ線から構成されることから素線間に水分が浸入しても、異種金属間腐食は発生せず、防食効果が得られる電線となる。なお、素線の腐食対策として、電線内部に防食グリスを塗布してもよい。
【００７２】
また、前述した各実施形態は、互いに組み合わせることができることは言うまでもない。
【符号の説明】
【００７３】
１、１ａ、１ｂ、１ｃ、１ｄ、１ｅ、１００………架空電線
３ａ、３ｂ、３ｃ、３ｄ………素線
５………中心層
７………セグメント層
９………外部層
１１………溝
１３………水滴
１５………凸部
１７………凹部
【図１】
2017111979.tif 000003
【図２】
2017111979.tif 000004
【図３】
2017111979.tif 000005
【図４】
2017111979.tif 000006
【図５】
2017111979.tif 000007
【図６】
2017111979.tif 000008
【図７】
2017111979.tif 000009
【図８】
2017111979.tif 000010
【図９】
2017111979.tif 000011
【図１０】
2017111979.tif 000012